【手続補正書】
【提出日】平成28年7月15日(2016.7.15)
【手続補正１】
【補正対象書類名】特許請求の範囲
【補正対象項目名】全文
【補正方法】変更
【補正の内容】
【特許請求の範囲】
【請求項１】
創傷に挿入するための安定化構造物であって、
複数の細長いストリップと、
前記複数の細長いストリップを接続する複数の介在部材であって、前記細長いストリップに対して枢動するように構成されていて前記複数の細長いストリップが互いに対して潰れることを可能にする前記介在部材と
を備え、
第１のストリップと第２のストリップとの間の前記介在部材が、第２のストリップと第３のストリップとの間の前記介在部材から独立して枢動するように構成されており、
前記複数の細長いストリップと、前記複数の細長いストリップを接続する前記複数の介在部材とが、複数の壁によって画定された複数のセルを形成する、安定化構造物。
【請求項２】
前記介在部材が、少なくとも１つの継手を介して前記細長いストリップに接続されている、請求項１に記載の安定化構造物。
【請求項３】
前記継手が、ヒンジである、請求項２に記載の安定化構造物。
【請求項４】
前記ヒンジが、一方向に潰れるように構成されている、請求項３に記載の安定化構造物。
【請求項５】
前記継手が、前記介在部材の動きを制限するように構成されている、請求項２から４のいずれか一項に記載の安定化構造物。
【請求項６】
前記細長いストリップが、剛性である、請求項１から５のいずれか一項に記載の安定化構造物。
【請求項７】
前記細長いストリップが、前記細長いストリップの長さに沿って屈曲するように構成されている、請求項１から６のいずれか一項に記載の安定化構造物。
【請求項８】
前記細長いストリップが、シリコーン、ポリウレタン、硬質プラスチック、半硬質プラスチック、生体適合性材料、軟質プラスチック材料、複合材料、およびフォームからなる群から選択された材料から構成されている、請求項１から７のいずれか一項に記載の安定化構造物。
【請求項９】
前記介在部材が、シリコーン、ポリウレタン、硬質プラスチック、半硬質プラスチック、生体適合性材料、軟質プラスチック材料、複合材料、およびフォームからなる群から選択された材料から構成されている、請求項１から８のいずれか一項に記載の安定化構造物。
【請求項１０】
複数の介在部材が隣り合う細長いストリップ間に備えられていて隣り合う細長いストリップの各対の間に複数のセルの列が画定されている、請求項１から９のいずれか一項に記載の安定化構造物。
【請求項１１】
前記セルが、ダイヤモンド形の形状になっている、請求項１から１０のいずれか一項に記載の安定化構造物。
【請求項１２】
隣り合う細長いストリップ間の一列の前記複数のセルが、前記隣り合うストリップが互いに対して潰れると一斉に潰れるように構成されている、請求項１０に記載の安定化構造物。
【請求項１３】
第１の方向に潰れるように構成された、隣り合うストリップ間の複数のセルの１または複数の列と、前記第１の方向の反対側の第２の方向に潰れるように構成された、隣り合うストリップ間の複数のセルの１または複数の列とを備える、請求項１０又は１２に記載の安定化構造物。
【請求項１４】
前記安定化構造物の前記複数のセルの複数の列の全てが同じ方向に潰れるように構成されている、請求項１０、１２、及び１３のいずれか一項に記載の安定化構造物。
【請求項１５】
前記第１のストリップと前記第２のストリップとの間の介在部材が、前記第２のストリップと前記第３のストリップとの間の介在部材に対してずれている、請求項１０、１２、１３及び１４のいずれか一項に記載の安定化構造物。
【請求項１６】
前記細長いストリップ及び前記介在部材を囲むフォームをさらに備える、請求項１から１５のいずれか一項に記載の安定化構造物。
【請求項１７】
隣り合う細長いストリップ間にフォームをさらに備える、請求項１から１６のいずれか一項に記載の安定化構造物。
【請求項１８】
前記安定化構造物が、任意寸法の潰れ全体の９０％が１時間以内に生じるように構成されている、請求項１から１７のいずれか一項に記載の安定化構造物。
【請求項１９】
前記安定化構造物が、任意寸法の潰れ全体の９０％が５分以内に生じるように構成されている、請求項１から１７のいずれか一項に記載の安定化構造物。
【請求項２０】
前記安定化構造物の上方、前記安定化構造物の下方、または前記安定化構造物の上層および下層の両方には、別個のフォーム層が設けられている、請求項１から１９のいずれか一項に記載の安定化構造物。
【請求項２１】
前記フォーム層が、前記安定化構造物の中へ延在する指部をさらに備える、請求項２０に記載の安定化構造物。
【請求項２２】
前記安定化構造物の周りには、フォームリボンまたはフォームリングが設けられている、請求項１から２１のいずれか一項に記載の安定化構造物。
【請求項２３】
前記複数の細長いストリップが、略平行に配置されている、請求項１から２２のいずれか一項に記載の安定化構造物。
【請求項２４】
前記安定化構造物が、卵形の形状になっている、請求項１から２３のいずれか一項に記載の安定化構造物。
【請求項２５】
安定化構造物を備える創傷閉鎖装置であって、
前記安定化構造物が、平面内に並んで設けられた複数のセルを備え、各セルが１つまたは複数の壁によって画定され、各セルが上端と下端とを有し、開口が前記上端および前記下端を通って前記平面に垂直な方向に延び、
前記平面に垂直な方向に沿うよりも前記平面内でより大きく潰れるように構成されており、
前記安定化構造物の上方、前記安定化構造物の下方、又は、前記安定化構造物の上層および下層の両方の上に、別個のフォーム層が設けられ、前記フォーム層が、前記安定化構造物の中へ延在する複数の指部を備え、
前記指部が、円錐状に形成されている、創傷閉鎖装置。
【請求項２６】
前記フォーム層が、水平方向平面内のベースをさらに備え、
前記複数の指部が、前記水平方向平面に対して垂直な垂直方向に延在し、前記指部が、前記フォーム層の前記ベースに組み込まれた下部と、前記ベースの反対側の上部とを備え、
前記指部の前記下部が、前記指部の前記上部よりも大径である、請求項２５に記載の創傷閉鎖装置。
【請求項２７】
前記フォーム層が、前記複数の指部を接続する複数の接続部をさらに備える、請求項２５又は２６に記載の創傷閉鎖装置。
【請求項２８】
前記フォーム層が、複数のくぼみを備える、請求項２５から２７のいずれか一項に記載の創傷閉鎖装置。
【請求項２９】
陰圧創傷治療で創傷を治療するための装置であって、
前記装置が、創傷の中へ、或いは創傷の上に挿入させるための安定化構造物を備えており、前記安定化構造物が、陰圧下で潰れるように構成されており、前記安定化構造物が、前記安定化構造物の中央の長手方向軸に沿って延在する長さと、前記安定化構造物の中央の横方向軸に沿って延在する、前記長さに直交する幅と、前記長さ及び前記幅に直交する厚さとを有し、前記長さ及び前記幅が前記厚さよりも大きく、
前記安定化構造物が、
前記安定化構造物の前記長さに延びた第１の側および第２の側であって、前記第１の側が前記第２の側の反対側にあり、前記第１の側および前記第２の側が前記中央の長手方向軸に対して湾曲又は屈曲していて、楕円の少なくとも一部分の形状をした前記安定化構造物の外側周辺部をもたらす、第１の側および第２の側と、
前記安定化構造物の前記長さに少なくとも部分的に延びた複数の細長いストリップであって、前記安定化構造物の前記第１の側および前記第２の側を画定する最も外側の細長いストリップ、および、前記最も外側の細長いストリップ間に位置付けられた複数の内側の細長いストリップを含む細長いストリップと、
前記複数の細長いストリップを接続する複数の介在部材であって、前記細長いストリップに対して枢動するように構成されていて前記複数の細長いストリップが互いに対して潰れることを可能にする介在部材と、
前記安定化構造物の前記長さ及び前記幅に対して垂直な水平方向平面内に並んで設けられた複数のセルであって、各セルが、前記水平方向平面に対して垂直な垂直方向に延在する複数の壁によって画定されると共に、前記細長いストリップ又は前記介在部材のいずれかによって形成されており、各セルが上端及び下端を有していて開口が前記上端および前記下端を通って延びている、セルと、
を備えており、
前記安定化構造物が、前記複数のセルを潰すことによって、前記垂直方向よりも前記水平方向平面内により潰れるように構成されている、装置。
【請求項３０】
請求項１から２４のいずれか一項に記載の安定化構造物、請求項２５から２８のいずれか一項に記載の創傷閉鎖装置、または請求項２９に記載の装置と、
前記安定化構造物の上に設置され、創傷を囲む皮膚の領域に対して実質的に液密のシールを形成するような大きさおよび構成にされたドレープと、
前記創傷と流体連通するように構成された陰圧源と
を備える陰圧創傷閉鎖システム。